(57)【要約】      （修正有）【課題】動物防止柵の防止面状体より下側の地中で動物の抜穴の開通を妨害することができる動物防止柵用の抜穴妨害具、及び、動物防止柵を提供する。【解決手段】動物防止柵１０は、隣り合う支柱１１の間隔方向に延設される支持胴縁３が当該支柱又は防止網１２に固定されて、この支持胴縁から地表面に向かって複数本の埋入棒２の下方に延設される。複数本の埋入棒は、支持胴縁の架設方向に向かって所定間隔で配設されており、各埋入棒の下方に向かって延設される部分は地中に埋入されている。各埋入棒の下方に向かって延設される部分は動物防止柵の防止網の下端よりも下方まで延設されており、この複数本の埋入棒によって地中に妨害柵２０が形成される。この妨害柵によって、動物が動物防止柵の防止網の下側に抜穴を掘ることを妨害でき、動物防止柵の地中からの通り抜けを防止できる。【選択図】図１
0003203225.tif 000002
【実用新案登録請求の範囲】
【請求項１】
設置場所に所定間隔で立設される複数本の支柱とその支柱間に架設される防止面状体とを備えた動物防止柵に取り付けられる動物防止柵用の抜穴妨害具において、
動物防止柵における隣り合う支柱同士の間隔方向に延設され、動物防止柵の支柱又は防止面状体に固定される支持部材と、
その支持部材の延設方向に所定間隔で配設されその支持部材により支持されるとともに、動物防止柵の防止面状体の下端よりも上側位置から下方に向かって延設されて地中に埋入可能である複数の埋入部材とを備えており、
その複数の埋入部材の埋入により地中に妨害柵を形成するものであって、この妨害柵によって動物による抜穴掘削を妨害して動物防止柵の防止面状体よりも下側からの通り抜けを防止するものであることを特徴とする動物防止柵用の抜穴妨害具。
【請求項２】
前記支持部材は、動物防止柵の支柱又は防止面状体における地表面より上側にある部分に固定されるものであることを特徴とする請求項１記載の動物防止柵用の抜穴妨害具。
【請求項３】
前記埋入部材における地中へ向けた延設部分の２以上の箇所で当該埋入部材を前記支持部材に対して固定可能であって、この固定箇所の変更により当該埋入部材の地中への埋入深さを変更する埋入深さ変更手段を備えていることを特徴とする請求項１又は２に記載の動物防止柵用の抜穴妨害具。
【請求項４】
前記埋入深さ変更手段は、前記支持部材における前記複数の埋入部材の配設位置にそれぞれ形成される複数の取付穴と、その取付穴に挿入可能であって前記支持部材から下方へ向けた延設部分がねじ棒で形成される前記埋入部材と、その埋入部材のねじ棒に螺着され、そのねじ棒を前記支持部材の前記取付穴に挿入した状態で、その取付穴の上下両側から前記支持部材を狭持して前記ねじ棒を前記支持部材に着脱自在に締結する上下対の締結具とを備えていることを特徴とする請求項３記載の動物防止柵用の抜穴妨害具。
【請求項５】
前記埋入部材は、全ねじ棒で形成されていることを特徴とする請求項４記載の動物防止柵用の抜穴妨害具。
【請求項６】
前記支持部材は、動物防止柵における隣り合う支柱同士の間隔方向に延設され、その延設方向端部に連結部が設けられ、隣り合う当該支持部材同士が互いの連結部同士で連結具を介して着脱自在に連結可能となっていることを特徴とする請求項１から５のいずれかに記載の動物防止柵用の抜穴妨害具。
【請求項７】
前記支持部材を動物防止柵の支柱又は防止面状体に着脱自在に取り付ける取付具を備えていることを特徴とする請求項１から６のいずれかに記載の動物防止柵用の抜穴妨害具。
【請求項８】
設置場所に所定間隔で立設される複数本の支柱と、
その支柱間に架設される防止面状体と、
その防止面状体又は支柱に固定され、隣り合う前記支柱同士の間隔方向に延設される支持部材と、
その支持部材の延設方向に所定間隔で配設されその支持部材により支持されるとともに、動物防止柵の防止面状体の下端よりも上側位置から下方に向かって延設されて地中に埋入可能である複数の埋入部材とを備えており、
その複数の埋入部材の埋入により地中に妨害柵を形成するものであって、この妨害柵によって動物による抜穴掘削を妨害して前記防止面状体よりも下側からの通り抜けを防止するものであることを特徴とする動物防止柵。
【請求項９】
前記防止面状体は、その下端部が所定深さ地中に埋入されるものであることを特徴とする請求項８記載の動物防止柵。
【請求項１０】
前記支持部材は、前記防止面状体の下端より上側の位置にて前記支柱又は防止面状体に固定されるものであり、
前記複数の埋入部材は、前記支持部材から下方に延設される部分が前記防止面状体の下端よりも更に下方まで延設された状態で地中に埋入されるものであることを特徴とする請求項８又は９に記載の動物防止柵。
【請求項１１】
前記支持部材は、前記支柱又は防止面状体における地表面より上側にある部分に固定されるものであることを特徴とする請求項８から１０のいずれかに記載の動物防止柵。
【請求項１２】
前記埋入部材における地中へ向けた延設部分の２以上の箇所で当該埋入部材を前記支持部材に対して固定可能であって、この固定箇所の変更により当該埋入部材の地中への埋入深さを変更する埋入深さ変更手段を備えていることを特徴とする請求項８から１１のいずれかに記載の動物防止柵。
【請求項１３】
前記埋入深さ変更手段は、前記支持部材における前記複数の埋入部材の配設位置にそれぞれ形成される複数の取付穴と、その取付穴に挿入可能であって前記支持部材から下方へ向けた延設部分がねじ棒で形成される前記埋入部材と、その埋入部材のねじ棒に螺着され、そのねじ棒を前記支持部材の前記取付穴に挿入した状態で、その取付穴の上下両側から前記支持部材を狭持して前記ねじ棒を前記支持部材に着脱自在に締結する上下対の締結具とを備えていることを特徴とする請求項１２記載の動物防止柵。
【請求項１４】
前記埋入部材は、全ねじ棒で形成されていることを特徴とする請求項１３記載の動物防止柵。
【請求項１５】
前記支持部材は、隣り合う前記支柱同士の間隔方向に延設され、その延設方向端部に連結部が設けられ、隣り合う当該支持部材同士が互いの連結部同士で連結具を介して着脱自在に連結可能となっていることを特徴とする請求項８から１４のいずれかに記載の動物防止柵。
【請求項１６】
前記支持部材を前記支柱又は防止面状体に着脱自在に取り付ける取付具を備えていることを特徴とする請求項８から１５のいずれかに記載の動物防止柵。
【考案の詳細な説明】
【技術分野】
【０００１】
本考案は、設置場所に所定間隔で立設される複数本の支柱とその支柱間に架設される防止面状体とを備えた動物防止柵に関し、防止面状体より下側に動物が抜穴を開けることを妨害するための動物防止柵用の抜穴妨害具、及び、動物防止柵に関するものである。
【背景技術】
【０００２】
例えば、山沿いやその周辺を通る高速道路や幹線道路には、これら道路とその沿線との境界部分に、イノシシ、シカその他の野生動物が道路部分へ侵入することを防止するための動物防止柵が設置されている。また、例えば、山間の集落や里山の集落では、山側から野生動物が人間の生活圏内に侵入して来て、集落の住宅や畑その他の土地を荒らし、農作物などに被害を与えることがあるため、集落と山間部との境界部分に動物防止柵が設置されるケースが増加している。
【０００３】
この動物防止柵は、高速道路、幹線道路その他の道路や集落などの侵入禁止領域に野生動物が侵入することを防止するための柵であり、例えば、これらの侵入禁止領域の境界に沿って複数本の支柱を所定間隔で立設し、この複数本の支柱における各支柱間に防止網を架設することで、この防止網によって野生動物が侵入禁止領域に侵入することを防止しようとするものである。
【考案の概要】
【考案が解決しようとする課題】
【０００４】
しかしながら、上記した動物防止柵は、複数本の支柱の立設部分のごく僅かな部分にのみ基礎コンクリートが打設され、これら支柱間にある部分は、土の地表面がそのまま残るため、野生動物は、この地表面を掘り起こすことができてしまう。このため、野生動物、特に、イノシシは、地表面を防止網の下端より下側まで掘削して、侵入禁止領域へ通じる抜穴を開けて、防止網の下側を通り抜けて侵入禁止領域へ侵入してしまうという問題点があった。
【０００５】
本考案は、上述した問題点を解決するためになされたものであり、動物防止柵の防止面状体より下側の地中で動物が抜穴を開通させることを妨害することができる動物防止柵用の抜穴妨害具、及び、動物防止柵を提供することを目的としている。
【課題を解決するための手段】
【０００６】
この目的を達成するために、第１考案の動物防止柵用の抜穴妨害具は、設置場所に所定間隔で立設される複数本の支柱とその支柱間に架設される防止面状体とを備えた動物防止柵に取り付けられるものであり、特に、動物防止柵における隣り合う支柱同士の間隔方向に延設され、動物防止柵の支柱又は防止面状体に固定される支持部材と、その支持部材の延設方向に所定間隔で配設されその支持部材により支持されるとともに、動物防止柵の防止面状体の下端よりも上側位置から下方に向かって延設されて地中に埋入可能である複数の埋入部材とを備えており、その複数の埋入部材の埋入により地中に妨害柵を形成するものであって、この妨害柵によって動物による抜穴掘削を妨害して動物防止柵の防止面状体よりも下側からの通り抜けを防止するものである。
【０００７】
また、第８考案の動物防止柵は、設置場所に所定間隔で立設される複数本の支柱と、その支柱間に架設される防止面状体と、その防止面状体又は支柱に固定され、隣り合う前記支柱同士の間隔方向に延設される支持部材と、その支持部材の延設方向に所定間隔で配設されその支持部材により支持されるとともに、動物防止柵の防止面状体の下端よりも上側位置から下方に向かって延設されて地中に埋入可能である複数の埋入部材とを備えており、その複数の埋入部材の埋入により地中に妨害柵を形成するものであって、この妨害柵によって動物による抜穴掘削を妨害して前記防止面状体よりも下側からの通り抜けを防止するものである。
【０００８】
この第１考案の動物防止柵用の抜穴妨害具又は第８考案の動物防止柵によれば、動物防止柵の支柱間の間隔方向に延設される支持部材が当該支柱又は防止面状体に固定されて、この支持部材により複数の埋入部材が支持される。複数の埋入部材は、動物防止柵の防止面状体の下端よりも上側位置から地表面に向かって下方に延設される。複数本の埋入部材は、支持部材の延設方向、即ち、動物防止柵の支柱の間隔方向に所定間隔で配設されており、各埋入部材における下方に向かって延設される部分は地中に埋入される。かかる複数本の埋入部材の埋入部分によって地中に妨害柵が形成される。
【０００９】
第２考案の動物防止柵用の抜穴妨害具は、第１考案の動物防止柵用の抜穴妨害具において、前記支持部材は、動物防止柵の支柱又は防止面状体における地表面より上側にある部分に固定されるものである。また、第１１考案の動物防止柵は、第８から第１０考案のいずれかの動物防止柵において、前記支持部材は、前記支柱又は防止面状体における地表面より上側にある部分に固定されるものである。
【００１０】
この第２考案の動物防止柵用の抜穴妨害具によれば第１考案の動物防止柵用の抜穴妨害具と同様に作用する上、又は、第１１考案の動物防止柵によれば第８から第１０考案のいずれかの動物防止柵と同様に作用する上、支持部材は、動物防止柵の支柱又は防止面状体における地表面より上側部分に固定されるので、支持部材の動物防止柵への取付作業を地上で行えて、施工時の作業性を向上できる。
【００１１】
第３考案の動物防止柵用の抜穴妨害具は第１若しくは第２考案の動物防止柵用の抜穴妨害具において、又は、第１２考案の動物防止柵は、第８から第１１考案の動物防止柵用の抜穴妨害具において、前記埋入部材における地中へ向けた延設部分の２以上の箇所で当該埋入部材を前記支持部材に対して固定可能であって、この固定箇所の変更により当該埋入部材の地中への埋入深さを変更する埋入深さ変更手段を備えている。
【００１２】
この第３考案の動物防止柵用の抜穴妨害具によれば第１若しくは第２考案の動物防止柵用の抜穴妨害具と同様に作用する上、又は、第１２考案の動物防止柵によれば第８から第１１考案の動物防止柵と同様に作用する上、埋入深さ変更手段は、各埋入部材の延設部分を支持部材に対して２箇所以上で固定できるので、この固定箇所を変更することで、各埋入部材の地中への埋入深さを２段階以上に変更できる。よって、例えば、埋入部材の埋入箇所が地盤が固くて埋入部材を埋入し難いなど、埋入場所の種々の状況に応じて、埋入部材の埋入深さを適宜調節することができる。
【００１３】
第４考案の動物防止柵用の抜穴妨害具は第３考案の動物防止柵用の抜穴妨害具において、又は、第１３考案の動物防止柵は第１２考案の動物防止柵において、前記埋入深さ変更手段は、前記支持部材における前記複数の埋入部材の配設位置にそれぞれ形成される複数の取付穴と、その取付穴に挿入可能であって前記支持部材から下方へ向けた延設部分がねじ棒で形成される前記埋入部材と、その埋入部材のねじ棒に螺着され、そのねじ棒を前記支持部材の前記取付穴に挿入した状態で、その取付穴の上下両側から前記支持部材を狭持して前記ねじ棒を前記支持部材に着脱自在に締結する上下対の締結具とを備えている。
【００１４】
この第４考案の動物防止柵用の抜穴妨害具によれば第３考案の動物防止柵用の抜穴妨害具と同様に作用する上、又は、第１３考案の動物防止柵によれば第１２考案の動物防止柵と同様に作用する上、埋入部材は、その埋入部材のねじ棒を支持部材の取付穴に挿入した状態で、この取付穴の上下から支持部材を狭持した状態となるように締結具をねじ棒に螺着して締結することで、支持部材に固定される。埋入深さ変更手段は、この上下対の締結具を埋入部材のねじ棒に螺着する位置を変更することで、埋入部材の埋入深さを変更できる。このように、埋入深さ変更手段は、埋入部材のねじ棒に対する上下対の締結具の螺着位置を適宜変更することで、無段階式に埋入部材の埋入深さを調整できる。
【００１５】
第５考案の動物防止柵用の抜穴妨害具は第４考案の動物防止柵用の抜穴妨害具において、又は、第１４考案の動物防止柵は第１３考案の動物防止柵において、前記埋入部材は、全ねじ棒で形成されている。
【００１６】
この第５考案の動物防止柵用の抜穴妨害具によれば第４考案の動物防止柵用の抜穴妨害具と同様に作用する上、又は、第１４考案の動物防止柵によれば第１３考案の動物防止柵と同様に作用する上、埋入部材自体が全ねじ棒であるので、埋入部材における下方へ向かう延設方向の全体を使って、埋入部材の地中への埋入深さを無段階的に調節できる。
【００１７】
第６考案の動物防止柵用の抜穴妨害具は、第１から第５考案のいずれかの動物防止柵用の抜穴妨害具において、前記支持部材は、動物防止柵における隣り合う支柱同士の間隔方向に延設され、その延設方向端部に連結部が設けられ、隣り合う当該支持部材同士が互いの連結部同士で連結具を介して着脱自在に連結可能となっている。また、第１５考案の動物防止柵は、第８から第１４考案の動物防止柵において、前記支持部材は、隣り合う前記支柱同士の間隔方向に延設され、その延設方向端部に連結部が設けられ、隣り合う当該支持部材同士が互いの連結部同士で連結具を介して着脱自在に連結可能となっている。
【００１８】
この第６考案の動物防止柵用の抜穴妨害具によれば第１から第５考案のいずれかの動物防止柵用の抜穴妨害具と同様に作用する上、又は、第１５考案の動物防止柵によれば第８から第１４考案のいずれかの動物防止柵用の抜穴妨害具と同様に作用する上、複数の支持部材は、隣り合う支持部材同士の連結部同士を連結具を介して連結することで、動物防止柵の延長距離に応じて支持部材の長さを延長できる。
【００１９】
第７考案の動物防止柵用の抜穴妨害具は第１から第６考案のいずれかの動物防止柵用の抜穴妨害具において、前記支持部材を動物防止柵の支柱又は防止面状体に着脱自在に取り付ける取付具を備えている。また、第１６考案の動物防止柵は第８から第１５考案のいずれかの動物防止柵において、前記支持部材を前記支柱又は防止面状体に着脱自在に取り付ける取付具を備えている。
【００２０】
この第７考案の動物防止柵用の抜穴妨害具によれば第１から第６考案のいずれかの動物防止柵用の抜穴妨害具と同様に作用する上、又は、第１６考案の動物防止柵によれば第８から第１５考案のいずれかの動物防止柵と同様に作用する上、支持部材は、取付具を介して動物防止柵の支柱又は防止面状体に着脱自在に取り付けられる。このため、動物防止柵を撤去などする場合は、取付具を外すことで、支持部材を動物防止柵の支柱から取り外せる。例えば、撤去する際に、支持部材を動物防止柵から取り外すことで、埋入部材を地中から抜き取り易くなり、撤去作業も容易となる。
【００２１】
第９考案の動物防止柵は、第８考案の動物防止柵において、前記防止面状体は、その下端部が所定深さ地中に埋入されるものである。
【００２２】
この第９考案の動物防止柵によれば、第８考案の動物防止柵と同様に作用する上、防止面状体の下端部も埋入部材と同様に地中に埋入されるので、防止面状体及び妨害柵の双方により野生動物の抜穴掘削を妨害できるという効果がある。
【００２３】
第１０考案の動物防止柵は、第８又は第９考案の動物防止柵において、前記支持部材は、前記防止面状体の下端より上側の位置にて前記支柱又は防止面状体に固定されるものであり、前記複数の埋入部材は、前記支持部材から下方に延設される部分が前記防止面状体の下端よりも更に下方まで延設された状態で地中に埋入されるものである。
【００２４】
この第１０考案の動物防止柵によれば、第８又は第９考案の動物防止柵と同様に作用する上、複数本の埋入部材は下方に向かって延設される部分が動物防止柵の防止面状体の下端よりも下方まで延設された状態で地中に埋入されるので、防止面状体の下端よりも更に下側まで到達するより深い妨害柵を地中に形成できる。
【考案の効果】
【００２５】
本考案の動物防止柵用の抜穴妨害具又は動物防止柵によれば、動物防止柵の支柱の間隔方向に延設した支持部材を当該支柱又は防止面状体に固定し、この支持部材を介して複数の埋入部材を支持し、これら複数の埋入部材を地中に埋入することによって、動物防止柵の設置場所の地中に妨害柵を形成できる。この妨害柵は、動物が動物防止柵の防止面状体の下側を通り抜けるための抜穴を掘削することを妨害する柵を、複数の埋入部材を介して地中に作り出すことができる。この妨害柵によって、動物が動物防止柵の防止面状体の下側に通じる抜穴を掘ることを妨害できるので、かかる抜穴を通じて動物防止柵を地中から通り抜けることを防止できるという効果がある。
【図面の簡単な説明】
【００２６】
【図１】本考案の一実施例である抜穴妨害具が取り付けられた動物防止柵の正面図である。本考案の
【図２】（ａ）は、図１のＩＩＡ−ＩＩＡ線における断面を部分的に拡大視した縦断面図であり、（ｂ）は、図１のＩＩＢ−ＩＩＢ線における断面を部分的に拡大視した縦断面図である。図１
【図３】図１の部分的拡大図であり、動物防止柵の支柱に対する抜穴妨害具の支持胴縁の取付状態を示した図である。
【図４】図３のＩＶ−ＩＶ線における横断面図である。
【図５】抜穴妨害具の正面図である。
【図６】（ａ）は、隣り合う支持胴縁の連結状態を示した部分的な正面図であり、（ｂ）は、（ａ）のＢ−Ｂ線における縦断面図である。
【考案を実施するための形態】
【００２７】
以下、本考案の好ましい実施の形態について、添付図面を参照して説明する。図１は、本考案の一実施例である抜穴妨害具１が取り付けられた動物防止柵１０の正面図である。図２（ａ）は、図１のＩＩＡ−ＩＩＡ線における断面を部分的に拡大視した縦断面図であり、図２（ｂ）は、図１のＩＩＢ−ＩＩＢ線における断面を部分的に拡大視した縦断面図である。
【００２８】
図１に示すように、動物防止柵１０は、設置場所に所定間隔で立設される複数本の支柱１１と、その複数本の支柱１１に架設（張設）される防止網１２と、この動物防止柵１０の下端部に取り付けられる抜穴妨害具１とを備えている。この動物防止柵１０は、高速道路、幹線道路その他の道路や集落などの侵入禁止領域に野生動物が侵入することを防止するための柵である。
【００２９】
例えば、この動物防止柵１０は、これらの侵入禁止領域の境界などの設置場所に沿って複数本の支柱１１を所定間隔で立設し、地表面ＧＬから所定高さ（例えば、２５００ｍｍ程度）を有する防止網１２を複数本の支柱１１に架設し、この防止網１２（の下網１２ｂ）の下端部を地中ＵＧに所定深さ（例えば、１５０ｍｍ程度）埋設することで、野生動物が侵入禁止領域に侵入することを防止しようとするものである。
【００３０】
複数本の支柱１１は、いずれも長尺（例えば、長さ２５００ｍｍ程度）の中空丸パイプで形成されており、地表面ＧＬから鉛直方向上方に向かって立設されている。複数本の支柱１１は、例えば、横方向（動物防止柵１０の延長方向、図１の左右方向）に１．５ｍ間隔で設置されている。各支柱１１の下端部１１ａは、基礎構造部材１３の基礎モルタル１３ｂ内に埋入固定されている。
【００３１】
図２に示すように、基礎構造部材１３は、設置場所の地中ＵＧに埋入された中空鋼管製の基礎鋼管１３ａと、その基礎鋼管１３ａの内周上部にモルタル硬化物を充填して形成される基礎モルタル１３ｂとを備えている。基礎鋼管１３ａは地中ＵＧに打ち込まれることで、その内周下部に地中ＵＧの土が充填されており、この充填土の上に基礎モルタル１３ｂが充填されている。また、各支柱１１の下端部１１ａは、その内周部に基礎モルタル１３ｂが充填した状態（図示せず。）となっている。
【００３２】
基礎鋼管１３ａは、地表面ＧＬから僅かに突出しているが、その大部分が地中ＵＧに埋設されている。例えば、基礎鋼管１３ａの全長が１１００ｍｍある場合、そのうち５０ｍｍ程度が地表面ＧＬから突出した格好となる。基礎モルタル１３ｂは、少なくとも基礎鋼管１３ａの上端まで充填することが好ましい。
【００３３】
図１に戻って説明すると、防止網１２は、格子状をした金網であり、複数の支柱１１の上部に架設される上網１２ａと、複数の支柱１１の下部に架設される下網１２ｂとを備えている。上網１２ａは、シカなどの比較的跳躍力のある野生動物の飛び越えを防止する所定高さを有した金網であり、下網１２ｂは、シカ、イノシシ、タヌキその他の野生動物の歩行又は突進による通り抜けを防止する所定高さを有した金網である。
【００３４】
例えば、上網１２ａの高さは、防止網１２における上側２／５の範囲に相当する１０００ｍｍ程度であり、下網１２ｂの高さは、防止網１２における下側３／５の範囲に相当する１５００ｍｍ程度である。
【００３５】
防止網１２は、上網１２ａ及び下網１２ｂともに各支柱１１に対して網固定用のＵボルト及びナットを用いた網固定具１４を介して固定されている。また、下網１２ｂは、上網１２ａに比べて網目が小さく、野生動物の衝突に対する剛性が高められている。また、上記したように、下網１２ｂの下端部は、地中に所定深さ埋入されており、この下網１２ｂの下端部を野生動物が潜り抜け辛くなっている。
【００３６】
複数本の支柱１１には、下網１２ｂの上端部に沿って防止網１２用の網胴縁が架設されている。この網胴縁は、下網１２ｂの上端部を係合して支持するものであり、各支柱１１に網胴縁固定用のボルト及びナットを用いた網胴縁固定具１５を介して固定されている。また、複数本の支柱１１の下端部１１ａには、抜穴妨害具１が取り付けられている。
【００３７】
抜穴妨害具１は、複数本の埋入棒２を地中ＵＧに埋入して地中ＵＧに妨害柵２０を形成し、この妨害柵２０によって野生動物による抜穴の掘削を妨害し、野生動物が下網１２ａを捲り上げるなどして動物防止柵１０を地中ＵＧから通り抜けることを防止するものである。この抜穴妨害具１は、主に、地中ＵＧに埋入される複数本の埋入棒２と、この複数本の埋入棒２の上端部を連結固定するとともに、動物防止柵１０の延長方向（支柱２の間隔方向、図１の左右方向）に延設され、かつ、支柱１１,１１の間に架設される支持胴縁３とを備えている。
【００３８】
図３は、図１の部分的拡大図であり、動物防止柵１０の支柱１１に対する抜穴妨害具１の支持胴縁３の取付状態を示した図である。図４は、図３のＩＶ−ＩＶ線における横断面図である。図３及び図４に示すように、支持胴縁３は、動物防止柵１０の支柱１１に対し、支持胴縁取付Ｕボルト４ａ及び支持胴縁取付ナット４ｂを用いた支持胴縁取付具４を介して着脱自在に固定される。
【００３９】
具体的には、支持胴縁取付具４によれば、支持胴縁取付Ｕボルト４ａの半円弧部を支柱１１の外周に周着し、支持胴縁取付Ｕボルト４ａの両端部を支持胴縁３の縦板部３ａに穿設される２つの通穴にそれぞれ挿入し、この支持胴縁取付Ｕボルト４ａの両端部に支持胴縁取付ナット４ｂをそれぞれ螺着することで、抜穴妨害具１の支持胴縁３を動物防止柵１０の支柱１１に対して固定する。また、抜穴妨害具１を撤去又は交換する場合は、これら２個の支持胴縁取付ナット４ｂを取り外すことで、支持胴縁取付Ｕボルト４ａを支柱１１から外し、支持胴縁３を動物防止柵１０から撤去することもできる。
【００４０】
図５は、抜穴妨害具１の正面図である。図５に示すように、抜穴妨害具１は、主に複数本の埋入棒２と、支持胴縁３とを備えている。支持胴縁３は、複数本の埋入棒２を支持するものであり、動物防止柵１０の下端部であって地表面ＧＬより上側（例えば、地表面ＧＬから２００ｍｍ程度上側）に取り付けられている。
【００４１】
支持胴縁３は、動物防止柵１０の支柱１１，１１の間に架設され、その架設方向に延設される長尺物であって、垂直に立設した縦板部３ａと縦板部３ａの下端部に直角に連設した横板部３ｂとを有したＬ字アングルで形成されている（図６（ｂ）参照。）。支持胴縁３の縦板部３ａの長手方向（延設方向）両端部には、その長手方向に並んだ２つの連結穴３ｃ，３ｃがそれぞれ穿設されている。
【００４２】
図６（ａ）は、隣り合う支持胴縁３の連結状態を示した部分的な正面図であり、図６（ｂ）は、図６（ａ）のＢ−Ｂ線における縦断面図である。図６に示すように、複数の支持胴縁３は、隣り合う支持胴縁３の端部同士を前後に重ね合わせ、互いの縦板部３ａを前後に重ねて互いの２個の連結穴３ｃ，３ｃを重ね合わせ、そこに端部連結ボルト５を各々通して端部連結ナット６で各々締結固定することで連結できる。
【００４３】
このように、複数の支持胴縁３は、その延設方向の端部同士を連結することで動物防止柵１０の延長距離が長くなっても、その延長距離に併せて長さを延長することができる。また、隣り合う支持胴縁３，３同士を連結する端部連結ボルト５及び端部連結ナット６を取り外すことで、隣り合う支持胴縁３，３同士の連結状態を容易に解除もできるので、動物防止柵１０の撤去や交換、又は、抜穴妨害具１の撤去や交換の際に、その作業性を向上できる。
【００４４】
図５に戻って説明すると、複数本の埋入棒２は、いずれも長尺状の棒状体であり、亜鉛メッキにより表面に防食処理が施された全ねじ棒で形成されている。複数本の埋入棒２は、支持胴縁３の架設方向に所定間隔で配設されている。複数本の埋入棒２は、支持胴縁３の横板部３ｂから下方に向かって垂直状に延設されている。
【００４５】
複数本の埋入棒２の上端部は、支持胴縁３の横板部３ｂにその延設方向（図５の左右方向）に所定（例えば１００ｍｍ）間隔で穿設される取付穴３ｄに挿入されている。各埋入棒２の上端部には、支持胴縁３の横板部３ｂを上下両側から挟み込むように上下対の埋入棒締結ナット７，７が螺着されている。各埋入棒２は、上下対の埋入棒締結ナット７，７が支持胴縁３の横板部３ｂを狭持した格好で、支持胴縁３に共締めにより締結固定される。
【００４６】
なお、本実施例では、複数本の埋入棒２は、支持胴縁３にある複数の取付穴３ｄに一つおきに挿入固定されており、取付穴３ｄのピッチ（間隔）の２倍の間隔で、支持胴縁３の延設方向（図１、図５の左右方向）に等間隔で配設されている。
【００４７】
ここで、埋入棒２は全ねじ棒で形成されるので、この全ねじ棒に対する上下対の埋入棒締結ナット７，７の螺着位置を２箇所以上の任意の箇所に変更することができ、この変更によって埋入棒２の埋入深さを無段階的に変更でき、故に、埋入棒２の埋入箇所の地中ＵＧの固さに応じて適宜埋入深さを調整することができる。
【００４８】
以上説明したように、図１に示した抜穴妨害具１を取り付けた動物防止柵１０によれば、複数本の埋入棒２は、支持胴縁３から下方に向かって鉛直に延設される部分が動物防止柵１０の防止網１２の下端よりも更に下方まで延設されるとともに地中ＵＧに埋入状態となって、地中ＵＧに妨害柵２０を形成する。
【００４９】
また、図２に示すように、埋入棒２は、地中ＵＧに埋入されている部分の先端部が動物防止柵１０の支柱１１の下端部１１ａと同等又はそれよりも深い位置まで地中ＵＧに埋入可能であり、野生動物が地中ＵＧのより深くまで抜穴を掘削することを防止できる。
【００５０】
なお、埋入棒２のサイズの一例を挙げれば、例えば、全長５００ｍｍ程度の棒状体である場合、地中ＵＧへの埋設深さを３００ｍｍ程度となるように形成すると良い。
【００５１】
以上、実施例に基づき本考案を説明したが、本考案は上記実施例に何ら限定されるものではなく、本考案の趣旨を逸脱しない範囲内で種々の改良変形が可能であることは容易に推察できるものである。
【００５２】
例えば、本実施例では、埋入棒２として全ねじ棒を用いて説明したが、かかる埋入棒２は必ずしも全ねじ棒である必要はなく、例えば、埋入棒２の上側部分にのみに雄ねじを螺刻して上下対の埋入棒締結ナット７，７を介して支持胴縁３に締結固定するようにしても良い。また、埋入棒２の地中ＵＧへの埋入部分は必ずしも丸棒状に限定されるものではなく、角棒状その他の多角形棒状であっても良い。
【００５３】
また、本実施例では、支持胴縁取付具４を介して支持胴縁３を動物防止柵１０に着脱自在に取り付けたが、支持胴縁３自体を動物防止柵１０の一部として製造段階で予め装備しておき、必要に応じて埋入棒２を支持胴縁３に取り付けるようにしても良い。また、動物防止柵１０には防止網１２として上網１２ａと下網１２ｂとを設けたが、防止網１２として下網１２ｂのみを有する動物防止柵１０に抜穴妨害具１を取り付けても良い。
【００５４】
また、本実施例では、埋入棒２を支持胴縁３に取り付けるために上下対の埋入棒締結ナット７，７を用いたが、埋入棒２の取付手段は必ずしも上下対の埋入棒締結ナット７，７に限定されるものではなく、埋入棒２を支持胴縁３に直接溶接などにより固着するようにしても良い。
【００５５】
また、本実施例では、支柱１１，１１の間に架設される防止網１２を防止面状体の一例として説明したが、防止面状体は必ずしも網状の防止網１２に限定されるものではなく、エキスパンドメタル、パンチングメタルその他の有孔板や、波板、平板その他の無孔板であっても良い。
【００５６】
また、本実施例では、支持胴縁３を複数本の支柱１１に架設して当該支柱１１に固定したが、支持胴縁３の取付形態は必ずしもこれに限定されるものではなく、例えば、支持胴縁を防止面状体（防止網１２を含む。）に直接固定しても良い。
【００５７】
また、本実施例では、複数本の埋入棒２は、支持胴縁３から下方に向かって鉛直に延設される部分が動物防止柵１０の防止網１２の下端よりも更に下方まで延設されるとともに地中ＵＧに埋入状態となって、地中ＵＧに妨害柵２０を形成した。しかしながら、複数本の埋入棒２の埋入深さは、必ずしも防止網１２の下端よりも更に下方まで延設するばかりでなく、複数本の埋入棒を防止網が地中に埋入される深さと同程度まで埋入するようにしても良い。さらに、防止網の下端部が地中深くまで埋入されている場合には、複数本の埋入棒を防止網の下端部よりも浅めに埋入するようにしても良い。
【符号の説明】
【００５８】
１                  抜穴妨害具
２                  埋入棒（埋入部材、埋入深さ変更手段の一部）
３                  支持胴縁（支持部材）
３ｃ                連結穴（支持部材の連結部）
３ｄ                取付穴（取付穴、埋入深さ変更手段の一部）
４                  支持胴縁取付具（支持部材の取付具）
５                  端部連結ボルト（連結具の一部）
６                  端部連結ナット（連結具の一部）
７，７              埋入棒締結ナット（上下対の締結具、埋入深さ変更手段の一部）
１０                動物防止柵
１１                支柱
１１ａ              支柱の下端部
１２                防止網（防止面状体）
１２ａ              上網
１２ｂ              下網
２０                妨害柵
ＧＬ                地表面
ＵＧ                地中
【図１】
0003203225.tif 000003
【図２】
0003203225.tif 000004
【図３】
0003203225.tif 000005
【図４】
0003203225.tif 000006
【図５】
0003203225.tif 000007
【図６】
0003203225.tif 000008